(57)【要約】【課題】像ぶれを補正する防振機能と被写体像表示機能とを備え、ぶれ補正された画像を確実に表示可能であり、操作性に優れたカメラを提供する。【解決手段】デジタルカメラには、デジタルカメラのぶれによる被写体像のぶれを防止するための防振駆動回路、被写体像を表示するモニタ等が設けられている。ステップＳ１２においてぶれ補正が指示されたと判断されると、防振駆動回路がオン状態になる（ステップＳ１３）。さらにこの場合、表示モードの設定（ステップＳ１５）、被写体像表示の指示（ステップＳ２５）の有無に関わらず、モニタが駆動され（ステップＳ１６）、被写体像がスルー画像として表示される（ステップＳ１８）。このように、像ぶれ補正が指示されると、表示モードの設定の有無に関わらず、被写体像が自動的に表示される。【選択図】図２
2007243400.tif 000002
【特許請求の範囲】
【請求項１】
カメラのぶれを検出するぶれ検出手段と、
前記カメラのぶれを補正して、撮影される被写体像のぶれを防止する防振手段と、
前記防振手段を作動させるように指示する防振指示手段と、
前記被写体像を表示する表示手段と、
前記表示手段を制御する表示制御手段とを備え、
前記表示制御手段が、前記防振指示手段の指示により前記防振手段が作動すると、前記被写体像の表示を開始させるように前記表示手段を制御可能であることを特徴とするカメラ。
【請求項２】
前記表示制御手段が、前記表示手段が作動していないときに前記防振手段の作動が指示されると、前記表示手段に前記被写体像を表示させることを特徴とする請求項１に記載のカメラ。
【請求項３】
前記表示手段が常に前記被写体像を表示する表示モードを設定する表示モード設定手段をさらに有することを特徴とする請求項１に記載のカメラ。
【請求項４】
カメラのぶれを検出するぶれ検出手段と、
前記カメラのぶれを補正して、撮影される被写体像のぶれを防止する防振手段と、
前記被写体像を表示する表示手段と、
前記表示手段に前記被写体像を表示するように指示する表示指示手段と、
前記表示手段を制御する表示制御手段とを備え、
前記表示制御手段が、前記防振手段が作動しているときにおいて、前記表示指示手段により指示されると前記被写体像の表示を開始させるように前記表示手段を制御可能であることを特徴とするカメラ。
【請求項５】
被写体の輝度を測定する測光手段と、前記測光手段を作動させる測光指示手段とをさらに有し、前記測光指示手段が、前記表示指示手段として機能することを特徴とする請求項４に記載のカメラ。
【請求項６】
前記防振手段が常に作動する防振モードを設定する防振モード設定手段をさらに有することを特徴とする請求項４に記載のカメラ。
【発明の詳細な説明】
【技術分野】
【０００１】
本発明は、防振機能を備えたカメラに関し、特に、防振機能と被写体像表示機能を有するカメラに関する。
【背景技術】
【０００２】
撮影時の手ぶれ等により生成された被写体像がぶれることを防止するため、防振機能を備えたカメラが普及している。例えば、デジタルカメラにおいては、撮像素子、もしくは撮影レンズを駆動させること等により、防振機能が実現されている。        
【０００３】
また、デジタルカメラ、ビデオカメラ等は、一般に、記録に先立って被写体像を表示する機能を備えている。そして、電力消費の抑制が必要である場合や、ユーザの周囲にいる者に被写体像を見せないことが好ましい場合のために、これらのカメラにおいては通常、被写体像を表示するモードと非表示モードとを切換えることができる。
【発明の開示】
【発明が解決しようとする課題】
【０００４】
被写体像を表示しないモードが設定されている場合に防振動作が指示されると、像ぶれ補正された被写体像を確認できないという問題が生じる。そしてこの場合に被写体像を確認するためには、非表示モードから被写体像を表示するモードに切換えるための操作が必要となり、カメラの操作性が低下する。
【０００５】
本発明は、像ぶれを補正する防振機能と被写体像表示機能とを備え、ぶれ補正された画像を確実に表示可能であり、操作性に優れたカメラを提供することを目的とする。
【課題を解決するための手段】
【０００６】
本発明の第１のカメラは、カメラのぶれを検出するぶれ検出手段と、カメラのぶれを補正して、撮影される被写体像のぶれを防止する防振手段と、防振手段を作動させるように指示する防振指示手段と、被写体像を表示する表示手段と、表示手段を制御する表示制御手段とを備え、表示制御手段が、防振指示手段の指示により防振手段が作動すると、被写体像の表示を開始させるように表示手段を制御可能であることを特徴とする。
【０００７】
第１のカメラは、表示手段を制御する表示制御手段をさらに有し、表示制御手段が、表示手段が作動していないときに防振指示手段の作動が指示されると、表示手段に被写体像を表示させることが好ましい。また、第１のカメラは、表示手段が常に被写体像を表示する表示モードを設定する表示モード設定手段をさらに有することが好ましい。
【０００８】
本発明の第２のカメラは、カメラのぶれを検出するぶれ検出手段と、カメラのぶれを補正して、撮影される被写体像のぶれを防止する防振手段と、被写体像を表示する表示手段と、表示手段に被写体像を表示するように指示する表示指示手段と、表示手段を制御する表示制御手段とを備え、表示制御手段が、防振手段が作動しているときにおいて、表示指示手段により指示されると被写体像の表示を開始させるように表示手段を制御可能であることを特徴とする。
【０００９】
第２のカメラは、被写体の輝度を測定する測光手段と、測光手段を作動させる測光指示手段とをさらに有し、測光指示手段が、表示指示手段として機能することが望ましい。また、第２のカメラは、防振手段が常に作動する防振モードを設定する防振モード設定手段をさらに有することが望ましい。
【発明の効果】
【００１０】
本発明によれば、像ぶれを補正する防振機能と被写体像表示機能とを備え、ぶれ補正された画像を確実に表示可能であり、操作性に優れたカメラを実現できる。
【発明を実施するための最良の形態】
【００１１】
以下、本発明の実施形態を、図面を参照して説明する。図１は、本実施形態のデジタルカメラのブロック図である。
【００１２】
デジタルカメラには、全体を制御する制御部１２が設けられている。制御部１２は、メインスイッチ（図示せず）がユーザにより操作されてオン状態になると作動する。制御部１２には、十字キー１４、測光スイッチ（ＳＷＳ）１５、レリーズスイッチ（ＳＷＲ）１６、防振スイッチ１８、表示スイッチ２０等が接続されており、ユーザの操作に応じた所定の信号が制御部１２に送信される。
【００１３】
デジタルカメラには、被写体画像を表示するモニタ２２（表示手段）が設けられている。デジタルカメラにおいては、モードダイヤル（図示せず）および十字キー１４等の操作により、被写体を撮影して静止画像を生成するための撮影モードが設定される。また、表示スイッチ２０（表示モード設定手段）の押下により、被写体像を常に表示する表示モードが設定される他、様々なモードが設定される。撮影モードにおいては、静止画像の生成に先立って、以下のように被写体像がスルー画像としてモニタ２２上に表示される。
【００１４】
まず、ＣＣＤ２４が、撮影レンズ３０を介して被写体からの反射光を受光する。この結果、ＣＣＤ２４において画像に対応した電荷が発生する。ＣＣＤ２４から読み出された電荷信号、すなわち画像信号は、信号処理回路２６に送信される。信号処理回路２６では、画像信号のノイズの低減、デジタル化などの処理が施される。これらの処理が施された画像信号は、画像信号処理回路２８に送られる。
【００１５】
画像信号処理回路２８において、デジタル画像信号には、ホワイトバランス調整、ガンマ補正などの信号処理が施され、輝度信号、及び色差信号が生成される。生成された輝度信号、及び色差信号、すなわち画像データは、制御部１２の制御の下でモニタ２２に送信される。この結果、被写体画像がスルー画像としてモニタ２２上に表示される。
【００１６】
デジタルカメラのレリーズボタンが半押しされると、制御部１２に接続された測光スイッチ（測光指示手段）１５がオン状態となる。測光スイッチ１５がオン状態になると、測距処理部（図示せず）による測距動作、測光処理部（測光手段）４０による被写体輝度の測定が実行される。得られた測距データ及び輝度データは制御部１２に送信される。制御部１２は、測距データに基づき合焦動作を制御し、輝度データに基づき露出値を算出する。
【００１７】
レリーズボタンが全押しされると、レリーズスイッチ１６がオン状態になる。そして算出された露出値に基づいて、シャッタ３１のシャッタ速度と絞り（図示せず）の絞り値とが、制御部１２によりそれぞれ所定の値に設定される。この結果、制御部１２により制御される絞り・シャッタ駆動回路３４により、所定量だけ絞りが開き、シャッタ３１が所定の開度で所定時間だけ開放され、ＣＣＤ２４が露光される。そしてＣＣＤ２４から読み出される画像信号に基づき静止画像が生成される。静止画像は、モニタ２２上に表示され、静止画像の画像データは、メモリカード３２等に記録される。
【００１８】
また、デジタルカメラには、デジタルカメラのぶれを検出するぶれ検出回路（ぶれ検出手段）３６が設けられている。ぶれ検出回路３６には、ジャイロセンサ、ハイパスフィルタ等（いずれも図示せず）が設けられており、公知の手法によりぶれを検出する。ぶれ検出回路３６からは、検出されたぶれ量を示す信号が出力され、出力信号は制御部１２に送信される。
【００１９】
制御部１２は、ぶれ検出回路３６からの出力信号に基づいて、ＣＣＤ２４を制御するための指示信号を防振駆動回路（防振手段）３８に送信する。そしてＣＣＤ２４は、デジタルカメラのぶれを補正し、生成される被写体像のぶれが生じないように、防振駆動回路３８によってわずかに駆動、すなわち所定の方向に所定量だけ移動される。この結果、デジタルカメラのぶれはＣＣＤ２４の移動によって相殺され、被写体がぶれていない画像が生成される。
【００２０】
なお、ぶれ検出回路３６および防振駆動回路３８によるぶれ補正は、通常、防振スイッチ１８の操作によって指示された場合に実行される。すなわち、防振スイッチ１８が押下されている間、ぶれ補正が指示されたことを示す信号が制御部１２に送信され、ぶれ検出回路３６および防振駆動回路３８が作動する。
【００２１】
また、デジタルカメラにおいては、常に防振駆動回路３８等が作動する防振モードを設定することも可能である。防振モードは、メニューボタン（図示せず）の押下によりモニタ２２上に表示されるメニュー画面において十字キー１４が操作されることにより設定される。防振モードが設定されている場合、防振スイッチ１８の操作に関わらず、常にぶれ補正が実行される。
【００２２】
図２は、表示制御ルーチンを示すフローチャートである。
【００２３】
表示制御ルーチンは、撮影モードが設定されると開始する。ステップＳ１１では、十字キー１４等の操作により防振モードが設定されたか否かが判断され、防振モードが設定されたと判断されると、ステップＳ２６に進み、防振モードが設定されなかったと判断された場合、ステップＳ１２に進む。
【００２４】
ステップＳ１２では、防振スイッチ１８の操作によってぶれ補正が指示されたか否かが制御部１２により判断される。そして、ぶれ補正が指示されたと判断されるとステップＳ１３に進み、指示されなかったと判断されるとステップＳ１４に進む。ここでは、防振スイッチ１８が押下され続けている間、ぶれ補正が指示されたと判断され、防振スイッチ１８の押下が停止するとぶれ補正は指示されていないと判断される。
【００２５】
ステップＳ１３では、ぶれ検出回路３６、防振駆動回路３８がオン状態になり、ステップＳ１６に進む。ステップＳ１４では、防振駆動回路３８等がオフ状態になり、ステップＳ１５に進む。ステップＳ１５においては、表示スイッチ２０の押下により表示モードが設定されたか否かが判断され、表示モードが設定されたと判断されるとステップＳ１６に進み、表示モードが設定されなかったと判断されるとステップＳ２５に進む。
【００２６】
ステップＳ１６では、モニタ２２が駆動されてオン状態となり、ステップＳ１８に進む。ステップＳ１８では、被写体像がスルー画像としてモニタ２２上に表示され、ステップＳ１９に進む。ステップＳ１８において、防振駆動回路３８等が作動しているときには像ぶれ補正された被写体像が表示され、作動していない場合には像ぶれ補正されていない被写体像が表示される。
【００２７】
このように、表示モードの設定、被写体像表示の指示に関わらず、被写体像が表示されていなかったときにおいても、像ぶれ補正が指示、実行されると被写体像の表示が自動的に開始される（ステップＳ１３、Ｓ１６およびＳ１８）。このため、像ぶれ補正された被写体像は、表示のための操作なしに確実に視認される。
【００２８】
一方、ステップＳ２５においては、被写体像の表示が指示されたか否かが判断される。防振モード設定時においては、被写体像の表示はレリーズボタンの操作によって指示される。すなわち、レリーズボタンが半押しされて測光スイッチ１５（表示指示手段）がオン状態になった場合に、被写体像の表示が指示されたと判断される。被写体像の表示が指示されたと判断されるとステップＳ１６に進み、指示されなかったと判断されるとステップＳ１７に進む。ステップＳ１７においては、モニタ２２はオフ状態となり、スルー画像は表示されずにステップＳ１９に進む。
【００２９】
ステップＳ１９においては、測光スイッチ１５がオン状態であるか否かが判断される。そして測光スイッチ１５がオン状態であると判断されるとステップＳ２０に進み、測光スイッチ１５がオフ状態であると判断されるとステップＳ１１に戻る。ステップＳ２０では、合焦制御および露出制御が実行され、ステップＳ２１に進む。
【００３０】
ステップＳ２１においては、測光スイッチ１５がオン状態であるか否かが再度判断され、測光スイッチ１５がオン状態であると判断されるとステップＳ２２に進み、測光スイッチ１５がオフ状態であると判断されるとステップＳ１１に戻る。ステップＳ２２では、レリーズスイッチ１６がオン状態であるか否かが判断され、レリーズスイッチ１６がオン状態であると判断されるとステップＳ２３に進み、レリーズスイッチ１６がオフ状態であると判断されるとステップＳ２１に戻る。
【００３１】
ステップＳ２３においては、被写体が撮影され、生成された静止画像がメモリカード３２等の記録媒体に記録され、ステップＳ２４に進む。ステップＳ２４では、デジタルカメラの電源がオフ状態になったか否かが判断される。デジタルカメラの電源がオン状態のままであると判断されるとステップＳ１１に戻り、電源がオフ状態になったと判断されると、表示制御ルーチンは終了する。
【００３２】
このように防振モードにおいては、表示モードが設定されていないときであっても、撮影動作のための操作によってスルー画像が表示される（ステップＳ２５、Ｓ１６、Ｓ１８）。すなわち、測光スイッチ１５は、被写体輝度を測光処理部４０に測定させる機能だけでなく、スルー画像を表示させる機能を兼ね備えている。このため、像ぶれ補正された被写体像を視認する必要性が高い撮影時において、画面を表示させるためだけの操作は不要となり、デジタルカメラは操作性に優れている。
【００３３】
なお、デジタルカメラにおいては、表示モードは設定できなくても良い。この場合、防振駆動回路３８等がオフ状態であると判断されたとき（ステップＳ１４）、モニタ２２は常に駆動されず被写体像は表示されない。
【００３４】
以上のように本実施形態によれば、デジタルカメラにおいて、表示モードの設定、被写体像表示の指示の有無に関わらず、像ぶれ補正の指示により被写体像が自動的に表示され、また、防振モードが設定されているときにおいては、撮影動作に伴ってやはり被写体像が自動的に表示されるように制御が可能である。このため、像ぶれ補正された被写体像を確認する必要性が高いときに、被写体像を容易に視認することができる。さらにこのとき、被写体像を表示させるためだけの操作は不要であることから、操作性に優れたデジタルカメラを実現できる。
【００３５】
本実施形態においてはデジタルカメラが例示されているが、像ぶれ補正機能と画像表示機能を有する撮影装置であれば、これに限定されない。例えば、ビデオカメラ等であっても良い。
【００３６】
防振モード設定時においてはレリーズボタンの操作によって被写体像が表示されることが好ましいものの、各モードを設定するためのスイッチ等、さらにそれらの操作については本実施形態に限定されない。
【００３７】
また、本実施形態においては、防振駆動回路３８等の防振機構が、ＣＣＤ２４を駆動することによりぶれを補正しているが、ぶれ補正の方法はこれに限定されず、例えば、撮影レンズ３０の駆動等により補正しても良い。
【図面の簡単な説明】
【００３８】
【図１】本実施形態におけるデジタルカメラのブロック図である。
【図２】表示制御ルーチンを示すフローチャートである。
【符号の説明】
【００３９】
１２  制御部（表示制御手段）
１４  十字キー（防振モード設定手段）
１５  測光スイッチ（測光指示手段・表示指示手段）
１８  防振スイッチ（防振指示手段）
２０  表示スイッチ（表示モード設定手段）
２２  モニタ（表示手段）
３６  ぶれ検出回路（ぶれ検出手段）
３８  防振駆動回路（防振手段）
４０  測光処理部（測光手段）
【図１】
2007243400.tif 000003
【図２】
2007243400.tif 000004